【手続補正書】
【提出日】平成15年12月8日(2003.12.8)
【手続補正１】
【補正対象書類名】明細書
【補正対象項目名】発明の名称
【補正方法】変更
【補正の内容】
【発明の名称】制御システム、被制御装置及び制御方法


【手続補正２】
【補正対象書類名】明細書
【補正対象項目名】特許請求の範囲
【補正方法】変更
【補正の内容】
【特許請求の範囲】
【請求項１】
リモートコントロール装置と、リモートコントロール装置によって制御される被制御装置とを有する制御システムであって、
前記被制御装置は、第１の接続手段と、第２の接続手段と、前記リモートコントロール装置から送信されたリモートコントロール信号を受信する受信手段と、前記リモートコントロール信号に応じて前記被制御装置、前記第１の接続手段又は前記第２の接続手段を選択する選択手段とを有し、
前記被制御装置は、前記第１の接続手段が選択された場合、前記リモートコントロール信号に対応するコマンドを前記第１の接続手段に接続された第１の外部装置に送信し、前記第２の接続手段が選択された場合、前記リモートコントロール信号に対応するコマンドを前記第２の接続手段に接続された第２の外部装置に送信することを特徴とする制御システム。
【請求項２】
前記第１の接続手段は、前記第１の外部装置から出力されたビデオ信号を入力し、前記第１の外部装置に対するコマンドを出力する手段であり、前記第２の接続手段は、前記第２の外部装置から出力されたビデオ信号を入力し、前記第２の外部装置に対するコマンドを出力する手段であることを特徴とする請求項１に記載の制御システム。
【請求項３】
前記リモートコントロール装置は、前記被制御装置、前記第１の外部入力手段又は前記第２の外部入力手段を選択するための選択手段を有することを特徴とする請求項１又は２に記載の制御システム。
【請求項４】
前記被制御装置は、ＴＶチューナを有する装置であることを特徴とする請求項１〜３の何れか１項に記載の制御システム。
【請求項５】
リモートコントロール装置によって制御される被制御装置であって、
第１の接続手段と、
第２の接続手段と、
前記リモートコントロール装置から送信されたリモートコントロール信号を受信する受信手段と、
前記リモートコントロール信号に応じて前記被制御装置、前記第１の接続手段又は前記第２の接続手段を選択する選択手段とを有し、
前記第１の接続手段が選択された場合、前記リモートコントロール信号に対応するコマンドを前記第１の接続手段に接続された第１の外部装置に送信し、
前記第２の接続手段が選択された場合、前記リモートコントロール信号に対応するコマンドを前記第２の接続手段に接続された第２の外部装置に送信することを特徴とする被制御装置。
【請求項６】
前記第１の接続手段は、前記第１の外部装置から出力されたビデオ信号を入力し、前記第１の外部装置に対するコマンドを出力する手段であり、前記第２の接続手段は、前記第２の外部装置から出力されたビデオ信号を入力し、前記第２の外部装置に対するコマンドを出力する手段であることを特徴とする請求項５に記載の被制御装置。
【請求項７】
前記リモートコントロール装置は、前記被制御装置、前記第１の外部入力手段又は前記第２の外部入力手段を選択するための選択手段を有することを特徴とする請求項５又は６に記載の被制御装置。
【請求項８】
前記被制御装置は、ＴＶチューナを有する装置であることを特徴とする請求項５〜７の何れか１項に記載の被制御装置。
【請求項９】
第１及び第２の接続手段を有し、リモートコントロール装置によって制御される被制御装置を制御するための制御方法であって、
前記リモートコントロール装置から送信されたリモートコントロール信号を受信する受信工程と、
前記リモートコントロール信号に応じて前記被制御装置、前記第１の接続手段又は前記第２の接続手段を選択する選択工程と、
前記第１の接続手段が選択された場合、前記リモートコントロール信号に対応するコマンドを前記第１の接続手段に接続された第１の外部装置に送信する第１のコマンド送信工程と、
前記第２の接続手段が選択された場合、前記リモートコントロール信号に対応するコマンドを前記第２の接続手段に接続された第２の外部装置に送信する第２のコマンド送信工程とを有することを特徴とする制御方法。
【請求項１０】
前記第１の接続手段は、前記第１の外部装置から出力されたビデオ信号を入力し、前記第１の外部装置に対するコマンドを出力する手段であり、前記第２の接続手段は、前記第２の外部装置から出力されたビデオ信号を入力し、前記第２の外部装置に対するコマンドを出力する手段であることを特徴とする請求項９に記載の制御方法。
【請求項１１】
前記リモートコントロール装置は、前記被制御装置、前記第１の外部入力手段又は前記第２の外部入力手段を選択するための選択手段を有することを特徴とする請求項９又は１０に記載の制御方法。
【請求項１２】
前記被制御装置は、ＴＶチューナを有する装置であることを特徴とする請求項９〜１１の何れか１項に記載の制御方法。
【手続補正３】
【補正対象書類名】明細書
【補正対象項目名】０００１
【補正方法】変更
【補正の内容】
【０００１】
【発明の属する技術分野】
本発明は、リモートコントロール装置と、リモートコントロール装置によって制御される被制御装置とを有する制御システム等に関する。


【手続補正４】
【補正対象書類名】明細書
【補正対象項目名】００１０
【補正方法】変更
【補正の内容】
【００１０】
本発明は、１つのリモートコントロール装置で複数の装置を制御することができる制御システム等を提示することを目的とする。


【手続補正５】
【補正対象書類名】明細書
【補正対象項目名】００１１
【補正方法】変更
【補正の内容】
【００１１】
【課題を解決するための手段】
本発明の制御システムは、リモートコントロール装置と、リモートコントロール装置によって制御される被制御装置とを有する制御システムであって、前記被制御装置は、第１の接続手段と、第２の接続手段と、前記リモートコントロール装置から送信されたリモートコントロール信号を受信する受信手段と、前記リモートコントロール信号に応じて前記被制御装置、前記第１の接続手段又は前記第２の接続手段を選択する選択手段とを有し、前記被制御装置は、前記第１の接続手段が選択された場合、前記リモートコントロール信号に対応するコマンドを前記第１の接続手段に接続された第１の外部装置に送信し、前記第２の接続手段が選択された場合、前記リモートコントロール信号に対応するコマンドを前記第２の接続手段に接続された第２の外部装置に送信することを特徴とする。
また、本発明の被制御装置は、リモートコントロール装置によって制御される被制御装置であって、第１の接続手段と、第２の接続手段と、前記リモートコントロール装置から送信されたリモートコントロール信号を受信する受信手段と、前記リモートコントロール信号に応じて前記被制御装置、前記第１の接続手段又は前記第２の接続手段を選択する選択手段とを有し、前記第１の接続手段が選択された場合、前記リモートコントロール信号に対応するコマンドを前記第１の接続手段に接続された第１の外部装置に送信し、前記第２の接続手段が選択された場合、前記リモートコントロール信号に対応するコマンドを前記第２の接続手段に接続された第２の外部装置に送信することを特徴とする。
また、本発明の制御方法は、第１及び第２の接続手段を有し、リモートコントロール装置によって制御される被制御装置を制御するための制御方法であって、前記リモートコントロール装置から送信されたリモートコントロール信号を受信する受信工程と、前記リモートコントロール信号に応じて前記被制御装置、前記第１の接続手段又は前記第２の接続手段を選択する選択工程と、前記第１の接続手段が選択された場合、前記リモートコントロール信号に対応するコマンドを前記第１の接続手段に接続された第１の外部装置に送信する第１のコマンド送信工程と、前記第２の接続手段が選択された場合、前記リモートコントロール信号に対応するコマンドを前記第２の接続手段に接続された第２の外部装置に送信する第２のコマンド送信工程とを有することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００７７
【補正方法】変更
【補正の内容】
【００７７】
図１は、本発明の第１実施例の概略構成ブロック図を示す。１０は、２つのＩＥＥＥ１３９４接続端子１２，１４及び赤外線リモコン信号の受光器１６を具備するＴＶモニタ装置である。ＩＥＥＥ１３９４接続端子１２にはＩＥＥＥ１３９４ケーブル１８を介して据置型ＶＴＲ装置２０が接続され、ＩＥＥＥ１３９４接続端子１４にはＩＥＥＥ１３９４ケーブル２２を介してカメラ一体型ＶＴＲ２４が接続されている。２６は、ＴＶモニタ１０、据置型ＶＴＲ装置２０及びカメラ一体型ＶＴＲ２４を遠隔操作する内容の赤外線リモコン信号を出力可能なリモコン装置である。


【手続補正８】
【補正対象書類名】明細書
【補正対象項目名】０１００
【補正方法】変更
【補正の内容】
【０１００】
Ｓ８３、Ｓ８５、Ｓ９０及びＳ９５の後、現在の入力ソースを一定時間、ＴＶモニタ１０が画面上に表示して、次のリモコン信号を待つ（Ｓ９６）。
【手続補正９】
【補正対象書類名】明細書
【補正対象項目名】０１０１
【補正方法】変更
【補正の内容】
【０１０１】
【発明の効果】
本発明によれば、１つのリモートコントロール装置で複数の装置を制御することができる。